(57)【要約】【課題】処理対象の連れ回りを防ぐ抵抗体がろ過スクリーン内に設けてあるスクリュー脱水機において、螺旋ブレードと抵抗体との動作干渉を抵抗体の側で回避できるようにして、螺旋ブレードに切欠部分が形成されるのを解消し、処理対象が逆送され、あるいは切欠部分に引っ掛かるのを防止して脱水効率を向上する。【解決手段】ろ過スクリーン１０に処理対象の連れ回りを阻止する回転防止構造を設ける。回転防止構造は、スクリーン壁に開口した小窓３１の外面を覆うケース３２と、ケース３２内に収容される回転抵抗体３３と、回転抵抗体３３の遊動回転を規制する規制体３４とからなる。回転抵抗体３３は、その一部が小窓３１を介して螺旋ブレード２３の回動領域に突出する状態で回転可能に軸支する。圧搾スクリュー９が回転駆動されるとき、回転抵抗体３３の受動部３８を螺旋ブレード２３で同行回転操作して、両者の動作干渉を解消する。【選択図】図１
2005131644.tif 000002
【特許請求の範囲】
【請求項１】
螺旋ブレード２３を備えている圧搾スクリュー９と、圧搾スクリュー９の周りを囲むろ過スクリーン１０と、圧搾スクリュー９を回転駆動するモーター３を含み、
螺旋ブレード２３の回動領域に臨んで処理対象の連れ回りを阻止する回転防止構造が設けてあるスクリュー脱水機であって、
回転防止構造は、ろ過スクリーン１０のスクリーン壁に開口した小窓３１の外面を覆うケース３２と、ケース３２内に収容される回転抵抗体３３とを含み、
回転抵抗体３３は、その一部が小窓３１を介して螺旋ブレード２３の回動領域に突出する状態で回転可能に軸支されており、
圧搾スクリュー９が回転駆動されるとき、回転抵抗体３３を螺旋ブレード２３で同行回転操作することを特徴とするスクリュー脱水機。
【請求項２】
ケース３２と回転抵抗体３３との間に、回転抵抗体３３の遊動回転を規制する規制体３４が設けてある請求項１記載のスクリュー脱水機。
【請求項３】
円板状に形成した回転抵抗体３３の周面に、螺旋ブレード２３で送り操作される受動部３８が形成されており、
規制体３４が受動部３８に落ち込み係合して、回転抵抗体３３の遊動回転を規制できる請求項２記載のスクリュー脱水機。
【請求項４】
ろ過スクリーン１０が外殻ケース２に収容されており、外殻ケース２の一側にハウジング１７が形成されて、その開口が蓋板１８で密閉されており、
回転防止構造が、ハウジング１７に臨むろ過スクリーン１０の外面に配置してある請求項１または２または３記載のスクリュー脱水機。
【請求項５】
螺旋ブレード２３を備えている圧搾スクリュー９と、圧搾スクリュー９の周りを囲むろ過スクリーン１０と、圧搾スクリュー９を回転駆動するモーター３を含み、
螺旋ブレード２３の回動領域に臨んで、処理対象の連れ回りを阻止する回転防止構造が設けてあるスクリュー脱水機であって、
回転防止構造は、ろ過スクリーン１０のスクリーン壁に開口した小窓３１の外面を覆うケース３２と、ケース３２内に配置される抵抗体４５・４６を含み、
抵抗体４５・４６はケース３２に設けた支軸３９で、その一部が螺旋ブレード２３の回動領域に臨む作動位置と、全体が螺旋ブレード２３の回動領域から退避する退避位置との間で揺動可能に支持されており、
圧搾スクリュー９が回転駆動されるとき、抵抗体４５・４６を螺旋ブレード２３で退避位置へ向かって揺動操作することを特徴とするスクリュー脱水機。
【請求項６】
ケース３２の内部に設けた抵抗体４５が、ばね５４で作動位置へ向かって揺動付勢してある請求項５記載のスクリュー脱水機。
【発明の詳細な説明】
【技術分野】
【０００１】
本発明は、ろ過スクリーンの内面に臨んで、処理対象の連れ回りを防ぐための抵抗体が配置してあるスクリュー脱水機に関する。
【背景技術】
【０００２】
この種のスクリュー脱水機は、特許文献１、２などに公知である。そこでは、ろ過スクリーンの内面に抵抗体を突設し、圧搾途中の処理対象を抵抗体で受け止めることによって、処理対象が圧搾スクリューと連れ回りするのを防止している。抵抗体との接当干渉を防ぐために、抵抗体と交差するブレード部分は切り欠いてある。
【０００３】
コンベアチェーンの外面に抵抗体を一定間隔置きに設け、コンベアチェーンを圧搾スクリューと同期して回動することにより、処理対象が圧搾スクリューと連れ回りするのを防止する脱水機が提案されている（特許文献３参照）。コンベチェーンは圧搾スクリューの外面を覆うろ過スクリーンの外面に設けられており、ろ過スクリーンのスクリーン壁に抵抗体の出入りを許す溝状の開口が形成してある。この開口は抵抗体を間に挟む一対のシール体で密封してある。
【０００４】
【特許文献１】特開平６−７９４９８号公報（段落番号００１１、図４）
【特許文献２】特許第２５８６１３３号公報（段落番号０００８、図２）
【特許文献３】実公平３−３７４２０号公報（第２頁考案の効果、第１図）
【発明の開示】
【発明が解決しようとする課題】
【０００５】
ろ過スクリーンの内面に抵抗体を突設する形態のスクリュー脱水機は、圧搾スクリューの螺旋ブレードの一部を切り欠いて抵抗体との接当干渉を避ける必要がある。そのため、螺旋ブレードの切欠部分において、処理対象が逆送されるのを避けられず、その分だけ脱水効率が低下するのを避けられない。例えば処理対象が繊維状の処理対象であるような場合に、処理対象が螺旋ブレードの切欠部分に引っ掛かる不具合もある。処理対象が切欠部分に引っ掛かると、ろ過スクリーンを取り外して引っ掛かった処理対象を取り除かねばならず、その作業に多くの手間が掛かる。
【０００６】
その点、特許文献３のスクリュー脱水機では、螺旋ブレードに同期して抵抗体を回動するので、螺旋ブレードに切欠部分を形成する必要はなく、上記のような問題を一掃できる。問題は、ろ過スクリーンに抵抗体の出入りを許す開口を形成するので、たとえ開口がシール体で密封してあったとしても、処理対象が開口から漏れ出るおそれがあり、圧搾圧力が低い脱水処理は問題なく行えるとしても、圧搾圧力が一定値を越える脱水処理には到底適用できない。
【０００７】
本発明の目的は、抵抗体を備えていないスクリュー脱水機と同様に、高い圧搾圧力で脱水処理を行うことができるにもかかわらず、処理対象が圧搾スクリューと連れ回りするのを確実に防止でき、したがって、連れ回りしやすい処理対象であっても効果的に脱水処理できるスクリュー脱水機を提供することにある。本発明の目的は、螺旋ブレードに切欠部分を形成する必要もなく抵抗体を設けることができ、したがって、処理対象が逆送されるのを解消して脱水効率を向上でき、しかも、処理対象が繊維状の処理対象であるような場合でも、処理対象が螺旋ブレードに引っ掛かるのを防止しながら確実に脱水できるスクリュー脱水機を提供することにある。
【課題を解決するための手段】
【０００８】
本発明のスクリュー脱水機は、螺旋ブレード２３を備えている圧搾スクリュー９と、圧搾スクリュー９の周りを囲むろ過スクリーン１０と、圧搾スクリュー９を回転駆動するモーター３を含み、螺旋ブレード２３の回動領域に臨んで処理対象の連れ回りを阻止する回転防止構造が設けてある。回転防止構造は、ろ過スクリーン１０のスクリーン壁に開口した小窓３１の外面を覆うケース３２と、ケース３２内に収容される回転抵抗体３３とを含み、回転抵抗体３３は、その一部が小窓３１を介して螺旋ブレード２３の回動領域に突出する状態で回転可能に軸支されている。以て、圧搾スクリュー９が回転駆動されるとき、回転抵抗体３３を螺旋ブレード２３で同行回転操作することを特徴とする（請求項１）。
【０００９】
より具体的には、ケース３２と回転抵抗体３３との間に、回転抵抗体３３の遊動回転を規制する規制体３４を設ける（請求項２）。
【００１０】
円板状に形成した回転抵抗体３３の周面に、螺旋ブレード２３で送り操作される受動部３８を形成する。以て、規制体３４を受動部３８に落ち込み係合させて回転抵抗体３３の遊動回転を規制する（請求項３）。
【００１１】
ろ過スクリーン１０は外殻ケース２に収容する。外殻ケース２の一側にハウジング１７を形成して、その開口を蓋板１８で密閉する。回転防止構造は、ハウジング１７に臨むろ過スクリーン１０の外面に配置する（請求項４）。
【００１２】
本発明の別のスクリュー脱水機は、螺旋ブレード２３を備えている圧搾スクリュー９と、圧搾スクリュー９の周りを囲むろ過スクリーン１０と、圧搾スクリュー９を回転駆動するモーター３を含み、螺旋ブレード２３の回動領域に臨んで、処理対象の連れ回りを阻止する回転防止構造が設けてある。回転防止構造は、ろ過スクリーン１０のスクリーン壁に開口した小窓３１の外面を覆うケース３２と、ケース３２内に配置される抵抗体４５・４６を含む。抵抗体４５・４６はケース３２に設けた支軸３９で、その一部が螺旋ブレード２３の回動領域に臨む作動位置と、全体が螺旋ブレード２３の回動領域から退避する退避位置との間で揺動可能に支持する。以て、圧搾スクリュー９が回転駆動されるとき、抵抗体４５・４６を螺旋ブレード２３で退避位置へ向かって揺動操作する（請求項５）。
【００１３】
ケース３２の内部に設けた抵抗体４５を、ばね５４で作動位置へ向かって揺動付勢して、抵抗体４５の作動位置への復帰動作を回転防止機構側で行う（請求項６）。
【発明の効果】
【００１４】
本発明では、スクリーン壁に開口した小窓３１の外面を覆うケース３２と、ケース３２内に収容される回転抵抗体３３などで回転防止構造を構成し、螺旋ブレード２３の回動領域に突出する回転抵抗体３３の一部で処理対象を受け止めることにより、処理対象が圧搾スクリュー９と連れ回りするのを防止できるようにした。そのうえで、回転抵抗体３３を螺旋ブレード２３で同行回転操作して、螺旋ブレード２３と回転抵抗体３３とが動作干渉するのを解消して、螺旋ブレード２３が回転抵抗体３３の突出領域を支障なく通過できるようにした。
【００１５】
上記のように本発明のスクリュー脱水機によれば、従来のスクリュー脱水機において不可欠であった、抵抗体との動作干渉を防ぐための切欠部分を螺旋ブレードに形成する必要がないので、処理対象が切欠部分で逆送され、あるいは処理対象が螺旋ブレードの切欠部分に引っ掛かるのを一掃できるのはもちろん、抵抗体を備えていない従来のスクリュー脱水機と同様に、高い圧搾圧力で脱水処理を行うことができ、連れ回りしやすい処理対象であっても、効果的に脱水処理できるスクリュー脱水機が得られる。回転抵抗体３３が回転することで螺旋ブレード２３の動作干渉を回避するので、回転抵抗体３３の退避動作を円滑に行えるうえ、螺旋ブレード２３で回転抵抗体３３を回転操作する際の両者の相対運動によって、螺旋ブレード２３の表面に付着した処理対象を受動部３８で掻き落とすことができる利点もある（請求項１）。
【００１６】
ケース３２と回転抵抗体３３との間に回転抵抗体３３規制体３４を設ける回転防止構造によれば、回転抵抗体３３で処理対象の連れ回りを防止する間に、回転抵抗体３３が処理対象の搬送力を受けて回転するのを確実に防止して、回転抵抗体３３を常に適正な位置に位置保持でき、したがって、螺旋ブレード２３回転抵抗体３３とが動作干渉するのを確実に防止できる（請求項２）。
【００１７】
回転抵抗体３３の周面に設けた受動部３８に規制体３４が落ち込み係合することにより、回転抵抗体３３の遊動回転を規制できるようにした回転防止構造によれば、螺旋ブレード２３で送り操作される受動部３８を利用して、回転抵抗体３３の遊動回転を規制できるので、回転防止構造を簡素化して、その分だけスクリュー脱水機の製作コストを節約できる（請求項３）。
【００１８】
外殻ケース２の一側にハウジング１７を設け、ハウジング１７に臨むろ過スクリーン１０の外面に回転防止構造を配置すると、必要に応じてハウジング１７の側から回転防止構造をろ過スクリーン１０に組付け、あるいは分解できる。このことは、圧搾スクリュー９やろ過スクリーン１０、および外殻ケース２などの組立作業や、分解作業を少ない手間で簡便に行えることを意味する。具体的には、組立時に、回転防止構造を最後に組付けることにより、回転防止構造に邪魔されることなく圧搾スクリュー９とろ過スクリーン１０を組むことができ、組立作業の手間を著しく省くことができる。螺旋ブレード２３に対する回転抵抗体３３の噛合い位置を意識する必要もない。また、分解する場合には、最初に回転防止構造を分解することにより、ろ過スクリーン１０を圧搾スクリュー９から容易に抜き外すことができる。因みに、回転抵抗体３３がろ過スクリーン１０に組み付けてある状態のままで、先の各部材を組立、あるいは分解する場合には、螺旋ブレード２３の回動領域に突出する回転抵抗体３３が邪魔になるため、一連の作業に多くの手間が掛かるのを避けられない（請求項４）。
【００１９】
本発明の別のスクリュー脱水機では、スクリーン壁に開口した小窓３１の外面を覆うケース３２と、ケース３２内に配置される抵抗体４５・４６などで回転防止構造を構成し、螺旋ブレード２３の回動領域に突出する抵抗体４５・４６の抵抗片４７・４８で処理対象を受け止めることにより、処理対象が圧搾スクリュー９と連れ回りするのを防止できるようにした。そのうえで、抵抗体４５・４６を螺旋ブレード２３で揺動操作して、螺旋ブレード２３と抵抗体４５・４６との動作干渉を解消し、螺旋ブレード２３が抵抗体４５・４６の突出領域を支障なく通過できるようにした。
【００２０】
上記のスクリュー脱水機によれば、従来のスクリュー脱水機において不可欠であった、抵抗体との動作干渉を防ぐための切欠部分を螺旋ブレードに形成する必要がないので、処理対象が切欠部分で逆送され、あるいは処理対象が螺旋ブレードの切欠部分に引っ掛かるのを一掃できるのはもちろん、抵抗体を備えていない従来のスクリュー脱水機と同様に、高い圧搾圧力で脱水処理を行うことができ、連れ回りしやすい処理対象であっても、効果的に脱水処理できるスクリュー脱水機が得られる。揺動変位する抵抗体４５・４６で処理対象を受け止めるので、抵抗片４７・４８の形状を任意形状に形成でき、処理対象の違いや圧搾条件の違いなどに応じて、抵抗片４７・４８による受け止め力を大小に変更できる利点がある（請求項５）。
【００２１】
ケース３２の内部に設けた抵抗体４５を、ばね５４で作動位置へ向かって揺動付勢して、抵抗体４５の作動位置への復帰動作を回転防止機構側で行うようにしたスクリュー脱水機によれば、螺旋ブレード２３が通過するのと同時に抵抗体４５を作動位置へ自動復帰できるので、抵抗体４５が退避している時間を最小限化して、処理対象の連れ回りを効果的に阻止できる。この種の回転防止機構は、比較的軟らかな処理対象を脱水処理するのに適している（請求項６）。
【発明を実施するための最良の形態】
【００２２】
図１ないし図５は本発明に係るスクリュー脱水機の実施例を示す。図２においてスクリュー脱水機は、スタンド１で垂直に支持される縦長の外殻ケース２と、外殻ケース２の上端に配置される減速機付きのモーター３と、ろ過原液を加圧供給するポンプ４などで構成する。
【００２３】
外殻ケース２は、主ケース６と、主ケース６の上下に固定される上ケース７および下ケース８とで構成してあり、主ケース６の内部に圧搾スクリュー９とろ過スクリーン１０とが収容してある。上ケース７の一側にはろ過原液の入口１１が、下ケース８の下面中央には脱水ケーキの出口１２がそれぞれ開口してある。
【００２４】
図３において、上ケース７は、下向きに開口する筒状のケースからなり、ケース上面にモーター３が固定してある。上ケース７内に突出するモーター３の出力軸３ａに、圧搾スクリュー９の駆動軸２４を連結する。駆動軸２４はケース上壁のボスに固定したベアリング１５で軸支してあり、シールリング１６でシールしてある。上ケース７の上面に固定したフランジを介して外殻ケース２の全体がスタンド１で支持されている。
【００２５】
主ケース６は上下面が開口する筒ケースからなり、ケース周面に後述する回転防止構造を収容するハウジング１７が形成してある。主ケース６の筒壁の上端一側には、ろ過廃液を回収する廃液口１９が設けてある。このように、外殻ケース２の上部に廃液口１９を設けると、ケース内をろ液で満たして、圧搾スクリュー９およびろ過スクリーン１０の殆どの部分をろ液に浸漬できる。ハウジング１７の側面開口は蓋板１８で密閉してあり、蓋板１８を取り外すことにより、回転防止構造の点検や保守などを行うことができる。
【００２６】
図１に示すように、下ケース８は漏斗状に形成してあり、下端の出口１２に開量調整弁２０が設けてある。図示していないアクチュエーターで開量調整弁２０の開量を調整することにより、圧搾スクリュー９に作用する背圧を大小に変更して圧搾圧力を調整できる。
【００２７】
圧搾スクリュー９は、中空の主軸２２と、その外周囲に固定した螺旋ブレード２３と、主軸２２に上端に固定した駆動軸２４とで構成する。螺旋ブレード２３は、搬送始端から搬送終端へ向かって同直径、同ピッチに形成してある。図４に示すように、ろ過スクリーン１０は耐圧性に優れたウェッジワイヤ１０ａをろ過要素にして円筒状に構成してあり、ハウジング１７と対向する周面に縦枠２８が固定してある。ろ過スクリーン１０は、その上端に固定したフランジ２５を介して主ケース６に着脱可能に装着してあり、その下端は、主ケース６の下面開口を塞ぐ底蓋２６、および下ケース８で固定保持してある（図１参照）。なお、ろ過スクリーン１０の周面は、ウェッジワイヤ１０ａの外面に固定した一群の補強リング２７で補強してある。
【００２８】
処理対象が圧搾スクリュー９と連れ回りするのを防止するために、ハウジング１７に臨むろ過スクリーン１０の周面に５個の回転防止構造を直線列状に配置している。図１およびず５に示すように回転防止構造は、ろ過スクリーン１０のスクリーン壁に開口した小窓３１の外面を覆うケース３２と、ケース３２内に収容される回転抵抗体３３と、回転抵抗体３３の遊動回転を規制して、回転抵抗体３３が処理対象によって回転操作されるのを防ぐ規制体３４などで構成する。
【００２９】
小窓３１は縦に長い溝からなり、図４に示すように縦枠２８に開口してある。小窓３１の隣接ピッチは、螺旋ブレード２３のブレードピッチの1.５倍に設定する。ケース３２は薄い角箱状に形成してあり、開口面の周囲に締結用のフランジ３５が張り出してある。フランジ３５を縦枠２８にビス３６で締結することにより、ケース３２で小窓３１の外面を閉止できる。
【００３０】
回転抵抗体３３は、ぶ厚いステンレス鋼板を素材とする円板状のブロックからなり、その周面４箇所に螺旋ブレード２３で送り操作される受動部３８を、一定間隔置きに形成する。螺旋ブレード２３との動作干渉を避けるために、受動部３８は外広がり台形状の切欠として形成する。回転抵抗体３３はケース３２の対向壁に固定した水平の支軸３９で遊転自在に軸支してあり、この軸支状態において、回転抵抗体３３の一部が小窓３１を介して螺旋ブレード２３の回動領域に突出している。支軸３９の中心軸線は圧搾スクリュー９の中心軸線と直交している。
【００３１】
規制体３４は、ケース３２に固定されるＬ字状の基部４１と部分円弧状の爪部４２とを一体に備えた板ばね製の弾性腕からなり、図５に示すように爪部４２が受動部３８に落ち込み係合することにより、回転抵抗体３３が遊動回転するのを規制できる。規制体３４の弾性力は、螺旋ブレード２３の送り操作力より小さく、処理対象が回転抵抗体３３を回転させようとする力よりは大きく設定する。
【００３２】
上記のように構成したスクリュー脱水機によれば、螺旋ブレード２３の回動領域に突出する回転抵抗体３３で処理対象を受け止めて、処理対象が圧搾スクリュー９と連れ回りするのを確実に防止できる。回転抵抗体３３の一部が螺旋ブレード２３の回動領域に突出している以上、螺旋ブレード２３と回転抵抗体２３とは、動作干渉する位置関係にある。しかし、回転抵抗体３３に受動部３８を設けて、螺旋ブレード２３で回転抵抗体３３を同行回転操作して、螺旋ブレード２３が回転抵抗体３３の突出領域を支障なく通過できるようにするので、両者２３・３３が動作干渉することはない。
【００３３】
具体的には図５（ａ）に示すように、螺旋ブレード２３が回転抵抗体３３の受動部３８に接当すると、回転抵抗体３３は螺旋ブレード２３の下面に押され、時計回転方向の力を受ける。その結果、回転抵抗体３３は規制体３４の弾性力に抗して回転し、図５（ｂ）および図５（ｃ）に示すように、螺旋ブレード２３の先端軌跡が回転抵抗体３３の外縁直径線から抜け出るまで、螺旋ブレード２３の旋回動作に同行して回転移動する。一方、図５（ｂ）に示すように、それまで回転抵抗体３３の周面に乗り上がっていた規制体３４の爪部４２は、回転抵抗体３３が停止する直前に受動部３８に落ち込んで、回転抵抗体３３の回転動作を規制する。この規制状態において、螺旋ブレード２３の動作領域に臨む上側の受動部３８の周縁開口は、螺旋ブレード２３の先端軌跡と交差する位置にあるので、回転してくる螺旋ブレード２３は問題なく受動部３８内に進入できる。
【００３４】
以上のように、本発明のスクリュー脱水機によれば、回転抵抗体３３が回転することで螺旋ブレード２３と回転抵抗体３３とが動作干渉するのを解消できるようにするので、螺旋ブレード２３に抵抗体との動作干渉を避ける切欠部分を設ける必要がなく、したがって処理対象が圧搾スクリュー９と連れ回りするのを回転抵抗体３３で確実に防止しながら、高い圧搾圧力で脱水処理を行うことができる。
【００３５】
回転防止構造は、ハウジング１７の側からろ過スクリーン１０に組み付けることができる。そのため、圧搾スクリュー９、ろ過スクリーン１０、および外殻ケース２などの主要部を組み立てた後に回転防止構造を組めばよく、清掃のための分解や、再組立の手間を著しく軽減できる。小窓３１のひとつを利用して、その外面を透明な蓋板で塞いでおけば、必要に応じてろ過スクリーン９の内部の情況を目視することができる。
【００３６】
図６は、回転防止構造の別の実施例を示す。そこでは、回転抵抗体３３に換えて揺動可能な２個の抵抗体４５・４６で処理対象の連れ回りを阻止する。各抵抗体４５・４６は、それぞれケース３２に設けた支軸３９で揺動自在に軸支されて、その揺動先端側に設けた抵抗片４７・４８が、螺旋ブレード２３の回動領域に臨む作動位置と、全体が螺旋ブレード２３の回動領域からケース３２内へ退避する退避位置との間で揺動できるように支持してあり、各抵抗片４７・４８で処理対象の連れ回りを防ぐ。
【００３７】
各抵抗体４５・４６の姿勢を、螺旋ブレード２３の回転動作を利用して切り換えるために、一方の抵抗体４５の揺動基端に連動片４９を突設し、他方の抵抗体４６の揺動先端部分に連動片５０を形成して、一方の抵抗体４５がケース３２内へ退避するとき、他方の抵抗体４６が螺旋ブレード２３の回動領域に進入できるようにする。各抵抗片４７・４８には、螺旋ブレード２３で押し出し操作される傾斜カム面５１・５２が形成してある。これらの傾斜カム面５１・５２は、先の実施例における受動部３８に相当する。
【００３８】
このように、各抵抗体４５・４６を螺旋ブレード２３の回動領域内へ交互に進入させると、処理対象が各抵抗体４５・４６で交互に受け止められることになるので、脱水途中の処理対象に衝撃を与えながら、しかも異なる位置を受け止めることができ、その一部が螺旋ブレード２３の回動領域に常時進入している上記の回転抵抗体３３に比べて、連れ回りを効果的に防止できる。また、一方の抵抗体４５がケース３２内へ退避するとき、他方の抵抗体４６を螺旋ブレード２３の回動領域に強制的に進入操作するので、処理対象を高圧圧搾する場合でも、抵抗体４５・４６を処理対象の内部に確実に食い込ませることができる。他は先の実施例と同じであるので、同じ部材に同じ符号を付してその説明を省略する。以下の実施例においても同じ扱いとする。
【００３９】
図７は回転防止構造のさらに別の実施例を示す。そこでは、ケース３２の内部に１個の抵抗体４５を配置し、ケース３２に設けた支軸３９で抵抗体４５を、作動位置と退避位置との間で揺動可能に支持する。そのうえで、抵抗体４５をケース３２内に設けたばね５４で作動位置へ向かって揺動付勢して、抵抗体４５の作動位置への復帰動作を回転防止機構側で行う。ばね５４はねじりコイル形のばねからなり、そのコイル部をケース３２に固定したピン５５で支持し、一方のばね腕をケース３２の内面にあてがい、他方のばね腕を抵抗体４５の周縁にあてがっている。支軸３９およびピン５５とケース３２との嵌合部は、はんだ付けされてシールしてある。抵抗体４５は、そのストッパー面５６が小窓３１の内周面で受け止められることにより、一定の作動位置に位置保持される。
【００４０】
以上のように構成した回転防止構造によれば、抵抗体４５をばね５４の付勢力で作動位置へ自動復帰操作できるので、抵抗体４５が退避している時間を最小限化できる。この種の回転防止構造を備えたスクリュー脱水機は、処理対象を比較的低い圧力で脱水処理するのに適しており、例えばオカラに含まれる豆乳を圧搾分離するような場合に適している。
【００４１】
上記の実施例では、回転抵抗体３３の支軸３９の中心軸線を圧搾スクリュー９の軸中心と直交させたが、その必要はなく、斜めに交差してあってもよい。とくに、回転抵抗体３３の支軸３９の中心軸線を、螺旋ブレード２３の螺旋角度と直交する向きに傾斜させる場合には、回転抵抗体３３をより円滑に回転操作できる。規制体３４は板ばねで形成する必要はなく、例えば、回転抵抗体３３の板面に形成したロック穴と、ロック穴に落ち込み係合するロックピースと、ロックピースを係合付勢するばねとで規制体３４を構成することができる。
【００４２】
本発明の回転抵抗体３３は、外面に抵抗片が突設してあるタイミングベルト状の無端帯を含む。その場合には、抵抗片を螺旋ブレード２３で回動操作して、螺旋ブレード２３と回転抵抗体３３との動作干渉を避ける。無端帯の外面はケース３２で覆われる。回転防止構造は複数個設けるのが好ましいが、少なくとも１個あればよい。多数個の回転防止構造を設ける場合には、一群の回転防止構造を螺旋状に配置することができる。開量調整弁２０に換えて、主ケース６の下端開口を塞ぐゲート機構を設けて、ばねや流体圧シリンダーでゲート体を閉じ付勢することができる。
【００４３】
図６における抵抗体４５・４６の一方を省略して、残る他方を螺旋ブレード２３でシソー傾動操作することにより、作動位置と退避位置とに切り換え操作することができる。回転防止構造の隣接ピッチは、螺旋ブレード２３のブレードピッチの1.５倍である必要はなく、任意寸法に設定できる。必要があれば１個のケース３２内に複数個の回転抵抗体３３を収容することができる。圧搾スクリュー９は先すぼまり形状や、末広がり形状になっていてもよく、その中心軸線が水平、あるいは傾斜していてもよい。本発明のスクリュー脱水機は、土木建設現場、化学工場、食品工場、製糸工場などにおいて含水物を圧搾処理する用途に使用できる。
【図面の簡単な説明】
【００４４】
【図１】スクリュー脱水機の下半部の縦断側面図である。
【図２】スクリュー脱水機の側面図である。
【図３】スクリュー脱水機の上半部の縦断側面図である。
【図４】図３におけるＡ−Ａ線断面図である。
【図５】回転抵抗体の回転動作を示す動作説明図である。
【図６】回転防止構造の別の実施例を示す断面図である。
【図７】回転防止構造のさらに別の実施例を示す断面図である。
【符号の説明】
【００４５】
９  圧搾スクリュー
１０  ろ過スクリーン
２３  螺旋ブレード
３１  小窓
３２  ケース
３３  回転抵抗体
３４  規制体
３８  受動部
【図１】
2005131644.tif 000003
【図２】
2005131644.tif 000004
【図３】
2005131644.tif 000005
【図４】
2005131644.tif 000006
【図５】
2005131644.tif 000007
【図６】
2005131644.tif 000008
【図７】
2005131644.tif 000009